(57)【要約】【課題】  身体の不自由な人が容易に運転席に移動することができるシート装置を提供する。【解決手段】  車両横方向に延びた第一レール２３Ａ，２３Ｂと、第一レールに摺動可能に取り付けたスライドプレート２２と、スライドプレートの上面に設けられ車両前後方向に延びた第二レール２３Ａ，２３Ｂと、第二レールに摺動可能に取り付けたシート１０とを備えている。また、第一レールを、車両のフロアパネルに設置したフレームの上面に配設している。【選択図】  図２
2005138799.tif 000002
【特許請求の範囲】
【請求項１】
車両横方向に延びた第一レールと、該第一レールに摺動可能に取り付けたスライドプレートと、該スライドプレートの上面に設けられていて車両前後方向に延びた第二レールと、該第二レールに摺動可能に取り付けたシートと、を備えたシート装置。
【請求項２】
前記第一レールを、車両のフロアパネルに設置されたフレームの上面に配設したことを特徴とする、請求項１に記載のシート装置。
【請求項３】
前記フレームを、前記フロアパネルと接続する下方を開放した箱形に形成すると共に、その上面を平面状に形成し、
前記フレームの内壁に前記第一レールと平行にスライドシャフトを軸架し、
該スライドシャフトの表面に刻設された溝の回転に従って、前記スライドシャフトに沿って移動するシャフトブッシュを前記スライドシャフトに螺着し、
該シャフトブッシュのフランジを、前記スライドシャフトに沿って前記フレームの上面に形成した開口を介して、前記スライドプレートの底面に接続し、
前記スライドシャフトに回転力を与えるモータを前記フレームの内側に配設し、
前記モータにより前記スライドシャフトを回転させることによって、前記シートを車両横方向にスライドすることを特徴とする、請求項２に記載のシート装置。
【請求項４】
前記座席シートと前記第二レールとの間に回転機構を設けたことを特徴とする、請求項１〜３の何れかに記載のシート装置。
【請求項５】
前記回転機構が、前記第二レールに摺動可能に取り付けたベース部と、該ベース部に取り付けた回転受け部を介して回転可能に取り付けられた回転プレートとにより構成され、前記座席を前記回転プレートの上面に取り付けたことを特徴とする、請求項４に記載のシート装置。
【請求項６】
前記シートを車両前方向から外側方向へ略９０度回転させるよう円弧状の開口を前記回転プレートに開設し、前記シートの底面から下方に突出したピンを前記円弧状の開口に貫入し、さらに、前記シートが車両前方向に向いた状態でピンをロックする回転止めをベース部上の開口端近傍に設け、該回転止めにより前記ピンが前記シートの前方向でロックされるようにしたことを特徴とする、請求項５に記載のシート装置。
【請求項７】
前記シートが、シートクッションとシートバックとを備えており、前記シートクッションの側面に、トランスファーボードを折り畳み可能に取り付けたことを特徴とする、請求項１〜６の何れかに記載のシート装置。
【請求項８】
前記トランスファーボードが展開しているときに、該トランスファーボードを支える受け部を、前記スライドプレートに取り付けたことを特徴とする、請求項７に記載のシート装置。
【請求項９】
前記スライドプレートの前端から前下方向に突出するようにフットレストを設けたことを特徴とする、請求項１〜８の何れかに記載のシート装置。
【請求項１０】
前記シートが運転席であることを特徴とする、請求項１〜９の何れかに記載のシート装置。
【請求項１１】
センターピラーがドアに内蔵されたパノラマオープンドアを備えた車両において、
前記請求項１〜１１の何れかに記載のシート装置を、フロントシート位置に配置したことを特徴とする、シート装置を備えた車両。
【発明の詳細な説明】
【技術分野】
【０００１】
本発明は自動車のシート装置に関し、特に車両内で移動可能に配設されたシート及びそれを備えた車両に関する。
【背景技術】
【０００２】
近年、身体の不自由な人が容易に乗降できるようにした福祉車両が普及している。また、乗降を円滑にするための設備機器を車両に搭載することに加え、身体の不自由な人が運転を行う場合に運転を補助する装置を組み入れた福祉車両も知られている。
【０００３】
従来の福祉車両において、車椅子を利用している人が車両を運転しようとするときに、車椅子から運転席に乗り移るに際しては、例えば、運転席側のフロントドアの前まで車椅子で移動し、そのフロントドアを開けて、自身で或いは補助者に介助されて運転席に乗り移るという一連の動作が必要となる。
【０００４】
また、道路脇での乗車に際しては、運転席側からの乗車行為は危険であるため、助手席側のフロントドアの前まで車椅子で移動し、そのフロントドアを開けて、自身で或いは補助者に介助されて助手席に乗り移り、さらに、助手席から運転席に移動していた。そのため、助手席側での乗降を容易にするために、助手席が車内で車両前後方向にスライドし、さらに助手席が乗車口外側までスライドするように構成された福祉車両が知られている（特許文献１参照）。
【０００５】
【特許文献１】特開２０００−６２５０７号公報
【発明の開示】
【発明が解決しようとする課題】
【０００６】
しかしながら、身体の不自由な人が運転席側のフロントドアから運転席に乗車するときは、自動車の走行する道路に面していたり、道路に入った位置にあると、運転席に車椅子から乗り移る際に運転席側のフロントドアを大きく開くので、該車両の横を通過する他の車両の走行の妨げになったり、開いたフロントドアに他の車両が接触する危険がある。
【０００７】
また、運転席側のフロントドアを開けて車椅子から車両に乗り移った後に、車椅子から運転席に乗り移った運転者が車椅子を車内に積み込むときに、図８に示すように、車両には運転席６０に隣接してセンタピラー５２が配設されているので、後部への搭載の際に車椅子がセンターピラー５２を傷つけたりする。また、運転席６０に座った運転者の前方の空間（ステアリングハンドルと運転者の胸部の間）Ｓ１を利用しようとしても、狭すぎて車椅子を車両内に積み込むことは難しかった。
【０００８】
本発明は、以上の点に鑑み、身体の不自由な人が容易に運転席に移動すると共に、車椅子を容易に搭載することができるシート装置を提供することを目的とする。
【課題を解決するための手段】
【０００９】
上記目的を達成するために、本発明のシート装置は、車両横方向に延びた第一レールとこの第一レールに摺動可能に取り付けたスライドプレートとスライドプレートの上面に設けられ車両前後方向に延びた第二レールとこの第二レールに摺動可能に取り付けたシートと、を備えている。
【００１０】
本発明のシート装置は、好ましくは、前記第一レールを車両のフロアパネルに設置したフレームの上面に配設している。
【００１１】
また、本発明のシート装置は、前記フレームを、好ましくは前記フロアパネルと接続する下方を開放した箱形に形成すると共に、その上面を平面状に形成し、上記フレームの内壁に前記第一レールと平行にスライドシャフトを軸架し、スライドシャフトの表面に刻設した溝の回転に従って、スライドシャフトに沿って移動するシャフトブッシュをスライドシャフトに螺着し、シャフトブッシュのフランジを、上記スライドシャフトに沿って上記フレームの上面に形成した開口を介して、スライドプレートの底面に接続し、スライドシャフトに回転力を与えるモータをフレームの内側に配設しており、モータにてスライドシャフトを回転することによって、シートを車両横方向にスライドさせる。
【００１２】
本発明のシート装置は、好ましくは、前記座席シートと前記第二レールとの間に回転機構を設けている。
【００１３】
前記回転機構は、好ましくは、前記第二レールに摺動可能に取り付けたベース部と、ベース部に取り付けられた回転受け部を介して回転可能に取り付けられた回転プレートと、によって構成され、前記座席が上記回転プレートの上面に取り付けられる。
【００１４】
本発明のシート装置は、好ましくは、前記シートを車両前方向から外側方向へ略９０度回転させるよう円弧状の開口を前記回転プレートに開設し、シートの底面から下方へ突出したピンを前記円弧状の開口に貫入し、さらに、シートが車両前方向に向いた状態でピンをロックする回転止めを開口端近傍に設け、該回転止めにより前記ピンがシートの前方向でロックされるようになっている。
【００１５】
さらに、本発明のシート装置は、前記シートがシートクッションとシートバックとを備えており、上記シートクッションの側面に、トランスファーボードを折り畳み可能に取り付けている。
【００１６】
好ましくは、前記トランスファーボードが展開しているときに、トランスファーボードを支える受け部が、前記スライドプレートに取り付けられる。
【００１７】
さらに、本発明のシート装置は、好ましくは、前記スライドプレートの前端から前下方向に突出するようにフットレストが設けられる。
【００１８】
本発明のシート装置は、前記シートとして、運転席，リヤシートなどに適用し得る。また、上記目的を達成するために、本発明のシート装置を備えた車両は、センターピラーがドアに内蔵されたパノラマオープンドアを備えた車両において、上述のシート装置を、フロントシート位置に配置している。なお、シート装置の配置位置は、フロントシートの位置にかかわらず、セカンドシート，サードシートの位置であっても良い。
【発明の効果】
【００１９】
本発明によれば、身体の不自由な人が、車両の側面、即ち、他の車両が走行する道路と反対側から安全に乗降することができる。
また、車室空間内においても、適切にステアリングハンドルの前方位置まで、容易に移動することができる。
【発明を実施するための最良の形態】
【００２０】
以下、図面に基づいて本発明の実施形態を説明する。
図１は本発明の実施形態に係るシート装置１を示す斜視図であり、図２は図１に示すシート装置１の分解斜視図である。シート装置１は、運転席１０を備えており、車両前後及び車両横方向に運転席１０をスライド可能とし、さらに、所定の軸まわりに運転席１０を回転可能としている。
【００２１】
このため、シート装置１は、例えば以下のように構成されている。
シート装置１は、車両のフロアパネルの上に設置したフレーム２０を備えている。このフレーム２０は、フロアパネルと接続する下方を開放した箱形に形成されており、上面２０Ａが平面状に形成されている。このように形作られたフレーム２０は、車両横方向に延びるようにフロアパネルに設置される。フレーム２０の長さＬは、車室空間の横幅にほぼ対応しており、具体的には、この長さＬは、後述するように、運転席１０がステアリングハンドルの前方からグローブボックスの前方まで移動する距離程度に設定されるが、車種によってその長さＬは様々である。
【００２２】
フレーム２０の上面２０Ａには、横スライド用の一対の第一レール２１Ａ，２１Ｂが車両横方向に延びるように並設されている。これらの第一レール２１Ａ，２１Ｂに対して摺動可能に横スライド用のスライドプレート２２が設けられている。
スライドプレート２２は方形状の鉄板であり、その下面の四隅にはスライドブロック２３Ｃ〜２３Ｆが取り付けられている。各スライドブロック２３Ｃ〜２３Ｆには、第一レール２１Ａ（或いはレール２１Ｂ）の上端部に対応した溝２３ｇが形成されている。よって、各スライドブロック２３Ｃ〜２３Ｆの溝２３ｇに各第一レール２１Ａ，２１Ｂの上端部が若干緩めに入り込むことで、スライドプレート２２を第一レール２１Ａ，２１Ｂに摺動可能に取り付けることができる。
【００２３】
なお、スライドプレート２２には、その前端から前下方向に突出するようにフットレスト２２Ａが設けられている。このフットレスト２２Ａは、鉄パイプ等の棒状の鋼材を略コ字状に折り曲げてその両端をスライドプレート２２の前端に接続されている。
さらに、スライドプレート２２の左右の側部には、後述する運転席１０のトランスファーボード１１Ａ，１１Ｂを支持する受け部２２Ｂ，２２Ｃが取り付けられている。受け部２２Ｂ，２２Ｃも、フットレスト２２Ａと同様に、鉄パイプ等の棒状の鋼材を略コ字状に折曲して構成されている。
【００２４】
このように構成されたスライドプレート２２の上面には、車両前後方向のスライドのための一対の第二レール２３Ａ，２３Ｂが、車両前後方向に延びるように並設されている。さらに、これらの第二レール２３Ａ，２３Ｂに対応して、各レール２３Ａ，２３Ｂに案内支持される第一摺動部２４Ａ，２４Ｂが設けられている。これらの第一摺動部２４Ａ，２４Ｂが運転席１０の底面に取り付けられることで、運転席１０は車両前後方向にスライドできるようになっている。
【００２５】
また、本発明の実施形態に係るシート装置１においては、運転席１０の車両前後方向のスライドが、従来の運転席の前後方向のスライド幅よりも、１０ｃｍ〜２５ｃｍ程度広い範囲でスライド可能に設定されており、これに対応して、第二レール２３Ａ，２３Ｂが従来のものよりも長く形成されている。
【００２６】
第二レール２３Ａ，２３Ｂ及び第一摺動部２４Ａ，２４Ｂの形状は、図に示す構成例の他、第一摺動部２４Ａ，２４Ｂがスライド移動に際して第二レール２３Ａ，２３Ｂに案内支持されるものであれば良く、これは、従来の車両における運転席を車両前後方向にスライドさせる機構と同一或いは同等であり、従来の前後方向のスライド機構と同様に、所定の位置でスライド移動を解除可能にロックすることができる機能を備えるようにしてもよいことは勿論である。
【００２７】
なお、第一摺動部２４Ａ，２４Ｂを底面に取り付けた運転席１０は従来知られているものと同様の構成であり、図に示すように、シートクッション１１と、このシートクッション１１に対して起伏可能に取り付けられたシートバック１２と、シートバック１２を揺動可能に支持し、シートクッション１１に固着したブラケット１３と、を備えている。シートバック１２は、従来の運転席と同様に、所定の揺動位置で解除可能にロックされ、所定の姿勢を保持することができるのは勿論である。
【００２８】
また、図に示す運転席１０にあっては、身体の不自由な人の乗降を容易にするために、シートクッション１１の両側面にそれぞれトランスファーボード１１Ａ，１１Ｂが取り付けられている。このトランスファーボード１１Ａ，１１Ｂは、車椅子と運転席との乗り移りを容易にするための補助部材であり、シートクッション１１に折り畳み可能に取り付けられており、展開しその上に人が乗った場合にその自重を前述の受け部２２Ｂ，２２Ｃによって支えられるようになっている。
【００２９】
ところで、運転中に運転席１０が車両横方向に自然にスライド移動するのを規制するため、フレーム２０の内壁に、第一レール２１Ａ，２１Ｂと平行に、スライドシャフト２５が軸架されている。このスライドシャフト２５の表面には螺旋状の溝２５Ａが刻設されており、この溝２５Ａの回転に従って移動するシャフトブッシュ２６がスライドシャフト２５に螺着している。シャフトブッシュ２６には、上方に突出するフランジ２６Ａが設けられており、このフランジ２６Ａが前述のスライドプレート２２の下面に取り付けられる。さらに、スライドシャフト２５に軸回転を与えるモータ２７がブラケット２８を介してスライドシャフト２５に取り付けられている。このモータ２７の起動スイッチは、例えば、図示を省略するが、運転席１０の側面等に設置しておくと良い。
なお、シャフトブッシュ２６が移動する際に、そのフランジ２６Ａをフレーム２０に衝接させないために、スライドシャフト２５に沿った細長い開口２０Ｂがフレーム２０の上面２０Ａに開設されている（図１）。
【００３０】
このように構成されたシート装置１の使用方法を説明する。運転席１０に着座したドライバーが、助手席側から降りる場合について例示する。
先ず、運転席１０を図１の矢印Ａで示すように、車両後方へ移動させる。尚、後方への移動距離は、図３に示すように、足をフットレスト２２Ａに載せて横方向のスライドを行わせる際に、脚（膝など）がステアリングハンドル２８と干渉しない程度に脚（膝など）の前方が若干空く程度であれば足りる。
【００３１】
次に、モータ２７の起動スイッチをＯＮにして、運転席１０を図１の矢印Ｂ方向にスライドさせる。このような操作により、図１で実線で示す位置から二点鎖線で示す位置まで運転席１０を移動することができる。
そして、図１に二点鎖線で示す運転席１０に着座した状態で、ドライバーは、歩道側のフロントドアを開ける。さらにトランスファーボード１１Ｂを展開して、シートクッション１１上を車両外側方向に移動し、車外におかれた車椅子に乗り移る。
このようにして、ステアリングハンドル２８の前方位置からグローブボックスの前方位置まで運転席１０を移動し、他の車両などが走行しない側のドアを開けて、そこから降りることができる。なお、車椅子から運転席１０に乗り移る場合には、上記と逆の動作・操作を行えばよい。
【００３２】
このように、本発明の実施形態に係るシート装置１０によれば、身体の不自由な人が、車両の側面、即ち、他の車両が走行する道路と反対側から安全に乗降することができる。また、車室空間内においても、適切にステアリングハンドル２８の前方位置まで、容易に移動することができる。
【００３３】
以上の説明では、運転席１０が車室空間内で、車両の横方向及び車両の前後方向にスライドできる場合を説明したが、運転席１０自体が回転することができるようにすると、車両の乗降がより容易になる。
【００３４】
図４は、回転機構を備えたシート装置２を示す分解斜視図である。シート装置２は、前述のシート装置１と同じように構成されて車両の横方向及び車両の前後方向にスライド可能であるが、運転席１０を回転可能にするために、前述の第一摺動部２４Ａ，２４Ｂと運転席１０の底面との間に、回転機構３０を配設している。
【００３５】
図５は、回転機構３０の端面図である。図４及び図５に示すように、回転機構３０は、平板状のベース部３１と、ベース部３１に取り付けられた円筒状の回転受け部３２と、回転受け部３２に摺動する円柱状に形成された第二摺動部３３と、この第二摺動部３３を下面に取り付け、上面を運転席１０の底面に接続した回転プレート３４と、を備えている。回転受け部３２は、高さ中ほどの内周面上にリング状の溝３２Ａが形成されており、この溝３２Ａに対応して、第二摺動部３３の表面にもリング状の溝３３Ａが形成されている。これらの溝３２Ａと溝３３Ａとの間にボールベアリング３５が配設されている。
【００３６】
また、このように構成された回転機構３０によって、ベース部３１に対して回転プレート３４が回転することで、運転席１０が回転することができるが、運転中に不用意に回転しないようにしておくのがよい。
そのために、本発明のシート装置は、好ましくは、シートを車両前方向から外側方向へ略９０度回転させるよう円弧状の開口３４Ａを回転プレート３４に開設し、シートの底面から下方へ突出したピン３７をこの円弧状の開口３４Ａに貫入して、このピン３７が円弧状の開口に沿って回転するようにすると共に、さらに、シートが車両前方向に向いた状態でピン３７をロックする回転止め３８を開口３４Ａの一端近傍に設け、この回転止め３８によりピン３７がシートの前方向でロックされるようになっている。なお、図示を省略するが、ピン３７は、回転止め３８にリリース可能にロックされており、従来知られている遠隔操作用などのリンク部材を介して、回転止め３６から分離できるようになっている。また、運転席１０の回転範囲は、回転プレート３４に形成された開口３４Ａの円弧の角度範囲を適宜設計変更することで、所望の範囲に規制することができる。このような、回転機構３０を備えていれば、運転者の乗降の際に、シートを略９０度回転させて車両外側方向にシートを向けることにより、さらにシート装置２の乗降性が向上する。
【００３７】
以上、本発明の実施形態に係るシート装置１，２の構成例を説明したが、これらのシート装置１，２は、従来知られている車両に適用することができるのは勿論であるが、特に、次のような車両に適用するのが望ましい。
例えば、図６に示すような、センターピラーがドアに内蔵されたパノラマオープンドア（所謂、センターピラー内蔵ドア；フロントドアとリヤドアの中にセンターピラーに相当する部材がそれぞれ内蔵されており、両ドアが閉じたときに、従来の車両のセンタピラーと同様の作用効果を発揮する。）を備えた車両４０にシート装置１，２を適用すると、シート装置１，２の作用効果がその車種のボディ構造との特徴と相俟って、向上する。
【００３８】
図７に示すように、従来の車種では、点線で示す助手席５０に車椅子から乗り移る場合には、開いたフロントドア５１と車両側面との限られたスペース内で動作を行う必要があり、また、その際にはセンターピラー５２が邪魔になっていた。
これに対して、図６に示す車両内のフロントシートの位置に本発明の実施形態に係るシート装置１，２を設置すれば、前述したように、ステアリングハンドル前に位置していた運転席１０を、矢印Ａで示すように後方へスライドし、その後矢印Ｂで示すように、横方向にスライドさせて、グローブボックス前まで移動することができ、さらに、図に斜線で示すように、車両の広い開口Ｓを通して乗降することができ、一般のセンタピラー５２を設けた車両への乗降よりも円滑に動作を行うことができる。
【００３９】
以上説明したが、本発明はその趣旨を逸脱しない範囲において様々な形態で実施し得ることは勿論である。上記の説明では、本発明を運転席に適用した場合を例示したが、それに限らずリヤシートなどに適用して、前後，左右にスライド及び回転可能に構成しても良い。また、上述の構成例で例示した部材の形状や材質等は、本発明と同一の作用効果を奏する範囲内で他のものを代用しても良いことは勿論である。
【産業上の利用可能性】
【００４０】
以上述べたように、本発明は、特に福祉車両に搭載すれば、身体の不自由な人の車両への乗降の利便性に富み、福祉車両の価値を向上することができる。
【図面の簡単な説明】
【００４１】
【図１】本発明の実施形態に係るシート装置を示す斜視図である。
【図２】図１に示すシート装置の分解斜視図である。
【図３】図１に示すシート装置の使用方法を説明するための概略側面図である。
【図４】本発明の実施形態に係る回転機構を備えたシート装置を示す分解斜視図である。
【図５】本発明の実施形態に係る回転機構を示す拡大端面図である。
【図６】本発明の実施形態に係るシート装置を適用するのが好適な車種を示す図である。
【図７】図６に示す車種に本発明の実施形態に係るシート装置を適用した場合の作用を説明するための図である。
【図８】従来の車両の運転席を示す斜視図である。
【符号の説明】
【００４２】
１，２          シート装置
１０            運転席
１１            シートクッション
１１Ａ          トランスファーボード
１２            シートバック
１３            ブラケット
２０            フレーム
２０Ａ          フレームの上面
２０Ｂ          フレーム上面に開設された開口
２１Ａ，２１Ｂ  第一レール
２２            スライドプレート
２２Ａ          フットレスト
２２Ａ，２２Ｂ  受け部
２３Ａ，２３Ｂ  第二レール
２３Ｃ〜２３Ｆ  スライドブロック
２４Ａ，２４Ｂ  第一摺動部
２５            スライドシャフト
２５Ａ          スライドシャフト表面の溝
２６            シャフトブッシュ
２６Ａ          シャフトブッシュのフランジ
２７            モータ
２８            ブラケット
３０            回転機構
３１            ベース部
３２            回転受け部
３２Ａ，３３Ａ  溝
３３            第二摺動部
３４            回転プレート
３４Ａ          開口
３５            ボールベアリング
３６            押さえ部材
３７            ピン
３８            回転止め
４０            パノラマオープンドアを備えた車両
【図１】
2005138799.tif 000003
【図２】
2005138799.tif 000004
【図３】
2005138799.tif 000005
【図４】
2005138799.tif 000006
【図５】
2005138799.tif 000007
【図６】
2005138799.tif 000008
【図７】
2005138799.tif 000009
【図８】
2005138799.tif 000010